(57)【要約】【課題】複数のスラットに亘って一連の模様が付されているにも関わらずスラットの反転時に模様崩れが生じないブラインドを提供することを目的とする。【解決手段】縦型ブラインド１０のヘッドレール１２には複数のランナが設けられており、それぞれのランナに対してスラット２８が取り付けられている。操作コード３０の操作によりスラット２８を回転させると、隣接するスラット２８同士がスラット２８の幅の半分が重ね代となって重なり合い、縦型ブラインド１０は閉鎖状態となる。この状態で各スラット２８に跨る完成絵柄６０，６２が形成されている。当該状態からスラット２８を反転させた場合には、当初の完成絵柄６０，６２が隠され、それとは異なる完成絵柄６１，６３が形成される。【選択図】図１
2009167757.tif 000002
【特許請求の範囲】
【請求項１】
帯状のスラットを複数備え、それら各スラットが並列して設けられるとともに、隣接するスラット同士が一部重なり合うことによって閉鎖状態となるブラインドにおいて、
前記スラット同士の重ね代が一のスラットのほぼ半分又はそれより大きくなっていることを特徴とするブラインド。
【請求項２】
前記各スラットの一方又は両方の面のうち、前記閉鎖状態における非重なり部分には、複数のスラットに跨る一連の模様となる部分模様が付されていることを特徴とする請求項１に記載のブラインド。
【請求項３】
前記模様が付されているスラットの前記閉鎖状態における重ね代には、スラットを反転した場合に一連の模様となる第２の部分模様が付されていることを特徴とする請求項２に記載のブラインド。
【請求項４】
両端にあるスラットがそれぞれ有する一対の表面のうち表面全域が現れる面は、無地、又は反転前に現れている模様と反転後に反対側に現れる模様とに併用される模様が付されていることを特徴とする請求項２又は３に記載のブラインド。
【請求項５】
前記複数のスラットのうち一のスラットがそれぞれに取り付けられた複数のランナと、
前記複数のランナが一列に並んで設けられ、該ランナの移動を案内するハンガーレールと、
前記複数のランナのうち先頭のランナを移動させるように操作される操作手段と、
前記先頭のランナを除く各ランナに設けられ、先頭側に隣接するランナを接離可能に連結するランナ連結手段と、
前記ランナ連結手段に設けられ、ランナ同士を設定間隔に保持する保持手段と、
を備え、
前記保持手段の設定間隔は、ランナに取り付けられた各スラットの重ね代が一のスラットのほぼ半分又はそれより大きくなるように設定されていることを特徴とする請求項１乃至４のいずれか１に記載のブラインド。
【発明の詳細な説明】
【技術分野】
【０００１】
本発明は、ブラインド及びブラインドの製造方法に関するものである。
【背景技術】
【０００２】
ブラインドは、窓からの日射を低減したり、屋内の様子を屋外から見えないようにしたりする目的で使用される。このブラインドとしては、縦型ブラインドや横型ブラインドが知られている。これらは細長い帯状のスラット（ルーバ）を複数平行に並べて構成されている。ブラインドには操作コードが設けられており、その操作コードを操作することによってスラットの角度を調整することができる。そして、各スラットが窓面に略平行な同一面に並び、かつ隣接するスラット同士が一部重なり合った状態となることにより、窓を閉鎖した状態となる。
【０００３】
ところで、近年、スラット表面に絵や文字などの模様を付し、装飾効果を高める試みがなされている。例えば、複数のスラットに跨るようにして一連の模様を付したものが提案されている（例えば、特許文献１参照）。
【特許文献１】特開２００４−３００８５８号公報
【発明の開示】
【発明が解決しようとする課題】
【０００４】
しかしながら、複数のスラットに跨るようにして一連の模様を付したブラインドでは、スラットを反転させた場合に模様が崩れてしまう。この点について図７に基づいて説明すると、図７（ａ）に示すようにスラットにそれぞれ部分模様１ａ〜１ｈを付し、スラットを並べることによって模様１を形成する（ここでは「Ａ」という文字からなる模様を例示している）。ここで、スラットを反転させると各部分模様１ａ〜１ｈも反転される。すると、図７（ｂ）に示すように、部分模様１ａ〜１ｈが個々の位置で反転されることによって、模様１の全体像が崩れてしまう。
【０００５】
一般にブラインドはスラットを表裏反転させることができるが、上記のような模様付きブラインドにあっては、模様崩れを防止しようとすればスラットの反転操作を躊躇せざるを得ず、スラットの反転機能を有効活用できなくなるという問題が生じる。
【０００６】
本発明は、複数のスラットに亘って一連の模様が付されている場合であってもスラットの反転時に模様崩れの生じないブラインドを提供することを目的とする。
【課題を解決するための手段】
【０００７】
以下、上記課題を解決するのに有効な手段等につき、必要に応じて効果等を示しつつ説明する。なお以下においては、理解の容易のため、発明の実施の形態において対応する構成を括弧書き等で適宜示すが、この括弧書き等で示した具体的構成に限定されるものではない。
【０００８】
手段１．帯状のスラット（スラット２８）を複数備え、それら各スラットが並列して設けられるとともに、隣接するスラット同士が一部重なり合うことによって閉鎖状態となるブラインドにおいて、前記スラット同士の重ね代が一のスラットのほぼ半分又はそれより大きくなっている。
【０００９】
手段１によれば、スラット同士の重ね代が一のスラットのほぼ半分又はそれより大きくなっているため、閉鎖状態からスラットを反転させても、反転前に現れていた部分は反転後の重ね代によって隠される。このため、反転前に現れていた部分を利用し、複数のスラットに跨るようにして一連の模様を付した場合でも、各スラットの部分模様はスラット反転後に隠されて、模様崩れが生じない。
【００１０】
手段２．手段１において、前記各スラットの一方又は両方の面のうち、前記閉鎖状態における非重なり部分には、複数のスラットに跨る一連の模様（完成絵柄６０，６２）となる部分模様（部分絵柄６０ａ〜６０ｈ，６２ａ〜６２ｆ）が付されている。
【００１１】
手段２によれば、閉鎖状態にあるブラインドの一面又は両面には模様が付され、そこからスラットを反転させるとその模様を形成していた部分模様のすべてが反転後の重ね代によって隠される。このため、スラットを反転させた場合に当初の模様が崩れてしまうとしても、その崩れた模様が視認されず模様崩れが生じない。
【００１２】
手段３．手段１又は２において、前記模様が付されているスラットの前記閉鎖状態における重ね代には、スラットを反転した場合に一連の模様（完成絵柄６１，６３）となる第２の部分模様（部分絵柄６１ａ〜６１ｇ，６３ａ〜６３ｈ）が付されている。
【００１３】
手段３によれば、スラットの反転に伴い、重ね代に形成されてスラット同士の重なりにより当初隠されていた第２の模様が反対面側に現れ、当初の模様とは異なる模様がブラインドに付される。このため、スラットの両面にそれぞれ２種類の模様を付せば、全体として４種類の模様をブラインドに付すことができる。
【００１４】
手段４．手段２又は３において、両端にあるスラットが有する一対の表面のうち表面全域が現れる面は、無地、又は反転前に現れている模様と反転後に反対側に現れる模様とに併用される絵柄が付されている。
【００１５】
両端にあるスラットがそれぞれ有する一対の表面のうち、表面全域が現れる面は、スラットが反転しても重ね代が生じることがなく全面が露出する。このため、その面に付された絵柄により、反転後に反対側に現れる模様が崩されてしまう。この点、本手段によれば、無地、又はいずれの模様にも併用される絵柄が付されているため、スラットを反転させても模様が崩されることはない。
【００１６】
手段５．手段１乃至４のいずれか１において、前記複数のスラットのうち一のスラットがそれぞれに取り付けられた複数のランナ（ランナ１５）と、前記複数のランナが一列に並んで設けられ、該ランナの移動を案内するヘッドレール（ヘッドレール１２）と、前記複数のランナのうち先頭のランナを移動させるように操作される操作手段（操作コード３０）と、前記先頭のランナを除く各ランナに設けられ、先頭側に隣接するランナを接離可能に連結するランナ連結手段（スペーサ３５）と、前記ランナ連結手段に設けられ、ランナ同士を設定間隔に保持する保持手段（フック５０）と、を備え、前記保持手段の設定間隔は、ランナに取り付けられた各スラットの重ね代がほぼ半分又はそれより大きくなるように設定されている。
【００１７】
手段５によれば、複数のランナがヘッドレールの一端側に集められた状態で、操作手段の操作により先頭ランナをレールに沿って移動させると、その先頭ランナに連なり、連結手段により連結された隣接ランナが順次移動する。この場合、各ランナ同士の間隔は保持手段により設定間隔に保持される。そして、この設定間隔は各スラットの重ね代が一のスラットの半分以上となるように設定されているため、ランナの移動によって各スラットが展開されても、重ね代は一のスラットの半分以上となる。したがって、本手段によれば、各スラットを展開することにより、上記手段１乃至４のいずれか１に記載のブラインドが得られる。
【発明を実施するための最良の形態】
【００１８】
以下、発明を具体化した一実施の形態を図面に基づいて詳細に説明する。この実施の形態では縦型ブラインドをブラインドの具体例とし、図３はその縦型ブラインド１０の一部を概略的に示す正面図である。
【００１９】
図３に示すように、縦型ブラインド１０にはその上部にヘッドレール１２が設けられている。ヘッドレール１２は、全体として一方向に延びる長尺状の直方体形状を有している。このヘッドレール１２には、当該レール１２の延びる方向に移動可能な複数のランナ１５が一列に並んで設けられている。各ランナ１５の延長線上には、ヘッドレール１２の一端側において固定体２０が設けられている。固定体２０はヘッドレール１２に固定されており、各ランナ１５と異なり移動しないようになっている。
【００２０】
複数のランナ１５のうち、固定体２０とは反対側の先頭ランナ１５（以後、他のランナ１５と区別する場合はトップランナ２５という）には、開閉用コード２６が取り付けられている。開閉用コード２６は、トップランナ２５からヘッドレール１２の内部を介してヘッドレール１２の一端側から引き出されている。そして、開閉用コード２６を操作することによってトップランナ２５が移動するようになっている。なお、その詳細な構成は省略する。
【００２１】
ここで、固定体２０及び各ランナ１５の連結構成、及びランナ１５の動作について図４を用いて説明する。なお、図４（ａ）は固定体２０及びランナ１５の構成を示す斜視図であり、図４（ｂ）はランナ１５の動作を概略的に説明する説明図である。
【００２２】
図４（ａ）に示すように、固定体２０及び各ランナ１５は、それぞれに設けられたスペーサ３５によって隣接するもの同士が接離可能に連結されている。詳述すると、そのスペーサ３５はランナ１５の移動方向に延びる帯板状をなし、基端部が固定体２０及び各ランナ１５にそれぞれ固定されるとともに、先端部は自由端となっている。固定体２０及び各ランナ１５に設けられた各スペーサ３５は、それぞれその先頭側に隣接するランナ１５のリング４８に挿通されている。その挿通により、固定体２０又は一のランナ１５に対し、その先頭側に隣接するランナ１５はスペーサ３５に案内されながら接離可能となる。ただ、スペーサ３５の先端部には、リング４８と係合するフック５０が設けられている。そのため、フック５０とリング４８との係合によりスペーサ３５の抜け止めが図られている。
【００２３】
そして、固定体２０から離れる方向へトップランナ２５を移動させると、図４（ｂ）に示すように、トップランナ２５のリング４８は、トップランナ２５に次ぐランナ１５（以下、第２ランナともいう）に設けられたスペーサ３５のフック５０に係合する。このため、トップランナ２５と第２ランナ１５との間がスペーサ３５の長さ以上に離間することがなく、トップランナ２５に引かれるようにして第２ランナ１５も移動することとなる。次いで、第２ランナ１５のリング４８が第２ランナ１５に次ぐランナ１５（以下、第３ランナともいう）に設けられたスペーサ３５のフック５０に係合する。このため、第２ランナ１５と第３ランナ１５との間もスペーサ３５の長さ以上に離間することがなく、第２ランナ１５に引かれるようにして第３ランナ１５も移動することとなる。このように、トップランナ２５を移動させると、それに後続するランナ１５が次々と連なって移動する。
【００２４】
逆に、固定体２０に近づく方向へトップランナ２５を移動させると、トップランナ２５はリング４８に挿通された第２ランナ１５のスペーサ３５に案内され、第２ランナ１５側に移動する。その後、トップランナ２５と第２ランナ１５とが当接すると、両者が一緒になって固定体２０側に移動する。この場合、第２ランナ１５はそのリング４８に挿通された第３ランナ１５のスペーサ３５に案内されながら移動する。このように、トップランナ２５を固定体２０側に向けて移動させると、他のランナ１５を次々と集めながら移動し、トップランナ２５を含めた各ランナ１５が固定体２０側に集められる。
【００２５】
かかる構成によって相互に連結された各ランナ１５には、それぞれ帯状のスラット２８が取り付けられている。スラット２８はその上端縁の幅方向中心でランナ１５に取り付けられており、ランナ１５によって吊下げられている。スラット２８の下端部には重り（いわゆるバランスウエイト、図示略）が設けられている。この重りにより、スラット２８が緊張状態に保たれている。また、スラット２８の下端部では、隣接するスラット２８同士が連結紐（図示略）によって連結されて、スラット２８同士の間隔が保持されている。
【００２６】
また、各ランナ１５には操作コード３０が取り付けられ、その操作コード３０はヘッドレール１２の一端側から引き出されている。そして、操作コード３０が操作されると、各ランナ１５のスラット取り付け部が上下方向を回動軸として回動し、それに伴ってスラット２８も回動する。この場合、各スラット２８がヘッドレール１２の延びる方向と略平行となるよう角度調整を行うことにより、各スラット２８同士が一部重なり合って閉鎖状態となる。また、その状態から操作コード３０を操作して各スラット２８を反転させれば、各スラット２８同士は再度一部が重なり合って閉鎖状態となる。
【００２７】
以上のように構成された縦型ブラインド１０では、各スラット２８をヘッドレール１２の一端側に畳まれた状態から展開させる場合、開閉用コード２６を操作してトップランナ２５を固定体２０から離れる方向へ（他端側へ）移動させる。すると、後続するランナ１５も次々と連なって他端側へ移動する。ランナ１５が移動すればそれに取り付けられたスラット２８も移動するため、それによって各スラット２８が展開される。各スラット２８を所望の状態（例えば、ヘッドレール１２のほぼ全域にスラット２８が配置された状態）まで展開させれば、そのスラット２８によってブラインドとしての機能が得られる。また、その状態で操作コード３０を操作することにより、スラット２８同士を一部重ね合わせて閉鎖状態にしたり、重なり合いを解消して光を取り込んだりすることができる。
【００２８】
一方、各スラット２８が展開された状態から一端側に畳み込む場合、開閉用コード２６を操作してトップランナ２５を固定体２０側に向けて移動させる。すると、トップランナ２５は他のランナ１５を次々と集めながら移動し、各ランナ１５はヘッドレール１２の一端側に集められる。これにより、各スラット２８は畳み込まれる。
【００２９】
ここで、説明の便宜上、縦型ブラインド１０の正面視において、開閉用コード２６及び操作コード３０がヘッドレール１２の左側で垂れ下がるようにした状態を表側とし、その反対を裏側とする。そして、その表側で、左端のスラット２８から右側に向かって順に、隣接するスラット２８が表側表面に重なるようにして各スラット２８が吊下られた状態を反転前の状態とする（図３参照）。その反転前の状態でのスラット２８同士の重なりは、裏側からみても同様となっている（後述する図１（ｃ）参照）。この状態から各スラット２８を右回転させて反転させると、表側では、右端のスラット２８から左側に向かって順に、隣接するスラット２８が表側表面に重なるようにして各スラット２８が吊下げられる（図１（ｂ）参照）。また、その反転後におけるスラット２８同士の重なりは、裏側でも同様となっている（図１（ｄ）参照）。
【００３０】
以上を前提に、本実施の形態では、次のような特徴的構成を備えている。
【００３１】
まず、スペーサ３５の長さをスラット２８の幅Ｗ（短手方向の長さ）の半分となっている。このため、図４（ｂ）に示すように、一のランナ１５とそれに隣接するランナ１５との最大離間距離はスラット２８の幅Ｗの半分１／２Ｗとなる。すなわち、一のランナ１５に設けられたリング４８が、次のランナ１５に設けられたスペーサ３５のフック５０に係合した状態では、両ランナ１５の離間距離がスラット２８の幅Ｗの半分となっている。
【００３２】
また、隣接するスラット２８同士が一部重なり合った状態では各スラット２８の重ね代がスラット２８の幅Ｗの半分となる。このため、表側では右半分が右側に隣接するスラット２８によって隠され、裏側でも右半分が右側に隣接するスラット２８によって隠される。反転すれば、表側では左半分が左側に隣接するスラット２８によって隠され、裏側でも左半分が左側に隣接するスラット２８によって隠される。
【００３３】
なお、前記連結紐の長さもスラット２８の幅の半分としておけば、スラット２８の下端部でも隣接するスラット２８同士の間隔を１／２Ｗに保てる。
【００３４】
次に、本実施の形態ではすべてのスラット２８が展開され、かつ隣接するスラット２８同士が一部重なり合った状態で、各スラット２８に跨る一連の模様が付されている。そこで、それら各スラット２８の模様を図１及び図２に基づいて説明する。なお、図１は縦型ブラインド１０の正面図であり、図２は重なりを解消した状態の全スラット２８を示す正面図である。
【００３５】
図１（ａ）〜（ｄ）に示すように、各スラット２８同士が一部重なり合った状態とすると、反転前及び反転後のそれぞれにおいて、表側及び裏側に異なる完成絵柄６０〜６３が付されている。そして、このような各種の完成絵柄６０〜６３が形成されるように、各スラット２８の表面にはそれぞれ部分絵柄が付されている。
【００３６】
具体的には、図２に示すように、各スラット１８の表裏両面にはそれぞれ幅方向の中心を境目として左右に２種類の絵柄が付されている。そして、図２（ａ）に示すように、各スラット２８の反転前表側左半分には反転前の表側に現れる完成絵柄６０を形成する部分絵柄６０ａ〜６０ｈが付され、右半分には反転後の裏側に現れる完成絵柄６３を形成する部分絵柄６３ａ〜６３ｈが付されている。また、図２（ｂ）に示すように、各スラット２８の反転前裏側左半分には反転前の裏側に現れる完成絵柄６２を形成する部分絵柄６２ａ〜６２ｆが付され、右半分には反転後の裏側に現れる完成絵柄６１を形成する部分絵柄６１ａ〜６１ｇが付されている。
【００３７】
そして、前述したように、反転前では表側でも裏側でも、スラット２８の右半分は右側に隣接するスラット２８によって隠される。このため、反転前の表側では、右側に隣接するスラット２８により右半分の部分絵柄６３ａ〜６３ｈが隠され、表面上に現れる左半分の部分絵柄６０ａ〜６０ｈによって完成絵柄６０が形成される。一方、反転前の裏側でも、右側に隣接するスラット２８により右半分の部分絵柄６１ａ〜６１ｇが隠され、表面上に現れる左半分の部分絵柄６２ａ〜６２ｆによって完成絵柄６２が形成される。
【００３８】
各スラット２８を反転させると、スラット２８の表側からみた左半分が裏側からみて左半分となり、表側からみた右半分が裏側からみて右半分となる。同様に、スラット２８の裏側からみた左半分は表側からみて左半分となり、裏側からみた右半分は表側からみて右半分となる。そして、反転後は表側でも裏側でも、スラット２８の左半分が左側に隣接するスラット２８によって隠される。そうであれば、反転前に隠されていた部分が反対側で表面上に現れ、反転前に表面上に現れていた部分が反対側で隠されることになる。
【００３９】
このため、反転後の表側では、反転前の裏側で表面上に現れていた左半分の部分絵柄６２ａ〜６２ｆが左側に隣接するスラット２８により隠され、反転前の裏側で隠されていた部分絵柄６１ａ〜６１ｇが表面上に現れて完成絵柄６１が形成される。一方、反転後の裏側では、反転前の表側で表面上に現れていた左半分の部分絵柄６０ａ〜６０ｈが左側に隣接するスラット２８により隠され、反転前の表側で隠されていた部分絵柄６３ａ〜６３ｈが表面上に現れて完成絵柄６３が形成される。
【００４０】
次に、本実施の形態では、両端部に設けられたスラット２８ｃ，２８ｄには、部分絵柄が付されず、無地となっている。その理由は以下の通りである。
【００４１】
図１に示されているように、反転前の表側右端に設けられたスラット２８ｃ、及び反転前の裏側右端（表側からみて左端）に設けられたスラット２８ｄの露出面６５ａ，６５ｂは、反転前後で全面が露出したままの状態となっている。このため、その露出面６５ａ，６５ｂに一方の完成絵柄に対応した部分絵柄が付されていると、スラット２８ｃ，２８ｄが反転した場合にその部分絵柄によって他方の完成絵柄が崩されてしまう。そこで、前述したように両端のスラット２８ｃ，２８ｄが無地とされれば、当該スラット２８ｃ，２８ｄに付された絵柄によって、スラット２８の反転前後に形成される完成絵柄６０〜６３が崩されないようになっている。
【００４２】
次に、本縦型ブラインド１０におけるスラット２８の製造方法について説明する。
【００４３】
スラット２８を製造する場合、先ず、パソコンを用いてスラット２８に付する絵柄を設定し、その設定した絵柄を転写紙７０に印刷する。この場合、転写紙７０には図２（ａ）（ｂ）に示された絵柄が印刷される。
【００４４】
その後、転写紙７０と繊維素材７３とを重ね合わせた状態で１８０度〜２００度に加温して転写紙７０に印刷されていた絵柄を繊維素材７３に転写する。具体的には、図５（ａ）に示すように、ローラに巻きつけられた転写紙７０及び繊維素材７３を引き出して重ね合わせ、加温機７５を通過させる。加温機７５を通過した後には、転写紙７０は捨紙７８として回収されるとともに、絵柄が付された繊維素材７３も同様に回収される。
【００４５】
次に、その絵柄が付されたシート状の繊維素材７３を超音波レーザによってカットする。この場合、繊維素材７３が超音波裁断装置８０にセットされた後、超音波発生部８５に向けて図示しないローラーによって送られる（図５（ｂ）における下側に向かって進む）。繊維素材７３が超音波発生部８５を通過すると、その繊維素材７３は超音波発生部８５から照射される超音波レーザによって帯状に裁断される。ここで繊維素材７３が帯状に裁断された後もスムーズに進行させるため、裁断後の帯状部材（スラット２８）を抑える押さえ部９０が超音波発生部８５に取り付けられている。このように、超音波裁断装置８０を用いて繊維素材７３をカットすることによってスラット２８が製造される。
【００４６】
以上詳述した本実施の形態によれば、以下の優れた効果を奏する。
【００４７】
本実施の形態では、閉鎖状態となる場合の重ね代が一のスラット２８の幅Ｗの半分となっているため、スラット２８を反転させると、反転前に現れている部分絵柄を上記重ね代によって隠すことが可能となる。よって、スラット２８を反転させた場合でも模様崩れが生じない。
【００４８】
また、スラット２８の両面のうち反転前の閉鎖状態におけるスラット２８の非重なり部分に、完成絵柄６０，６２が形成される部分絵柄６０ａ〜６０ｈ，６２ａ〜６２ｆが付されている。さらに、スラット２８が反転した場合にも完成絵柄６１，６３が形成されるように、スラット２８の両面の重ね代にも部分絵柄６１ａ〜６１ｇ，６３ａ〜６３ｈが付されている。すなわち、一のスラット２８における両面にそれぞれ２種類の部分絵柄が付されている。よって、反転前後で模様を崩すことなく、計４種類の完成絵柄６０〜６３を付すことができる。
【００４９】
両端のスラット２８は無地として部分絵柄を付さない構成としたため、スラット２８を反転させても完成絵柄６０〜６３が崩されない。
【００５０】
ヘッドレール１２に案内されて移動する複数のランナ１５が設けられており、そのランナ１５にスラット２８がそれぞれ取り付けられている。また、リング４８とフック５０との係合により、一のランナ１５とそれに隣接するランナ１５との離間距離がスラット２８の幅Ｗの半分より大きくならない。これにより、一のスラット２８と隣接しているスラット２８との重ね代が一のスラット２８の幅Ｗの半分より小さくならない。
【００５１】
仮に、１枚のシート状スクリーンの表裏両面に絵柄が付されている場合、一方から絵柄をみると他面に付された絵柄が透けてみえてしまうことが考えられる。本実施の形態では、隣接するスラット２８が重なり合うことによって完成絵柄６０〜６３が形成されるため、２枚のスラット２８が前後に重なることとなる。このため、一方から完成絵柄６０〜６３をみても他面側の完成絵柄６０〜６３が透けてみえてしまうことを抑制できる。
【００５２】
絵柄が付されたシート状の繊維素材７３が超音波レーザによって裁断されてスラット２８が製造される。一般に、繊維素材を裁断する場合にはその裁断面にほつれが発生する。そのほつれを修繕するために、スラットとして使用する面積よりも大きく繊維素材の裁断を行う。この点、本実施の形態では超音波レーザによる裁断を行うため、繊維素材７３を裁断したとしてもほつれが生じない。これにより、繊維素材７３を裁断してスラット２８を製造する場合に、スラット２８として使用する面積よりも大きく繊維素材７３を裁断する必要がなくなる。よって、上記一般的な裁断方法に比べ、少ない繊維素材７３にて同量のスラット２８を製造することができる。
【００５３】
また、この場合、繊維素材７３を隙間なく使用できるため、繊維素材７３に絵柄を付する場合に隙間を考慮して絵柄を印刷する必要がなくなる。これにより、絵柄を設定する場合の設定作業が容易となる。さらに、繊維素材７３に印刷する絵柄に隙間を設ける必要がある場合にはその隙間の分だけ転写紙７０が余分に必要となるが、本実施の形態では転写紙７０に隙間を設ける必要がないため、転写紙７０を有効利用できるし、転写した後に回収される捨紙７８の削減も可能となる。
【００５４】
なお、本実施の形態は上記記載内容に限定されず、例えば次のように実施してもよい。
【００５５】
（１）上記実施形態はスラット２８がランナ１５に吊り下げられている縦型ブラインド１０を例としているが、ブラインドとしては、スラット２８を横向きに取り付けたる横型ブラインドであってもよい。また、上記縦型ブラインド１０は片開き式のものであったが、両開き式としてもよい。
【００５６】
（２）上記実施形態では、超音波レーザによる裁断によってスラット２８を製造したが、スラット２８の製造方法は任意である。例えば、繊維素材７３からスラット２８の形状となるよう裁断を行い、その裁断によって発生したほつれを修繕した後に絵柄を付す方法が考えられる。また、スラット２８の素材は繊維素材７３に限定されることはなく、スラット２８を構成する素材は任意である。例えば、アクリル等を用いた合成樹脂材料や、アルミニウム等を用いた金属材料が考えられる。
【００５７】
（３）上記実施形態では、スラット２８には絵柄が転写されているが、絵柄が付されたシートをスラット２８に貼り付ける構成としてもよい。この場合、シートを取り外し可能としておけば、シートを取り替えるだけで絵柄を変更できる。
【００５８】
（４）上記実施形態では、反転前後の表裏で合計４種類の完成絵柄６０〜６３が付されているが、最低１種の完成絵柄が形成されるようにしてもよい。この場合でも、スラット２８が反転した場合に、隣接するスラット２８との重ね代にてその部分絵柄が隠されるため、完成絵柄が崩されない。但し、上記実施形態の如く、反転前後で縦型ブラインド１０をいずれの方向からみても完成絵柄が付されるような構成が望ましい。
【００５９】
（５）上記実施形態では、スラット２８における幅方向の中心を境目として２種類の部分絵柄が付されていたが、部分絵柄がその中心まで印刷されていなくともよい。すなわち、部分絵柄がスラット２８の一端から半分より狭い領域（例えば、端から４８％の領域）に付されていてもよい。この場合、スラット２８の半分の領域うち部分絵柄が付されず残った領域（上記例では２％の領域）には、２種類の完成絵柄との関係で違和感のない部分絵柄を付しておく又は無地にしておくことが好ましい。これにより、スラット２８を閉鎖状態として完成絵柄が形成されている場合に、スラット２８が揺れる等して多少ずれてしまったとしても、形成されている完成絵柄と全く異なる絵柄が視認されてしまうことを防げる。
【００６０】
（６）上記縦型ブラインド１０が設置される場所は限定されることなく、例えば、店舗等における窓に設置してもよい。この場合、店舗の外側から見える面には広告等の完成絵柄を付しておき、店舗内から見える面には店舗の雰囲気を演出する完成絵柄が形成されるようにすることが好ましい。これにより、上記縦型ブラインド１０を店舗等に好適に設置することができる。
【００６１】
（７）開閉用コード２６が設けられておらず、電気制御にてトップランナ２５を移動させようにしてもよい。また、スラット２８同士の重ね代を一のスラット２８の幅Ｗの半分に保持する構成も、例えばスペーサ３５を伸縮自在とし、スペーサ３５が延びた状態でスラット２８の幅Ｗの半分となるよう構成してもよい。
【００６２】
（８）上記実施形態では、スラット２８同士の重ね代を一のスラット２８の幅Ｗの半分としたが、重ね代がほぼ半分又はそれより大きくなっていればよい。但し、重ね代となっている領域を増加させることによって、完成絵柄を形成するためにスラット２８が大量に必要となってしまうことが考えられる。
【００６３】
重ね代を半分より大きくした場合の実施形態を図６に基づいて説明する。この図６では、スラット２８が閉鎖状態となった場合に完成絵柄９５が形成され、それぞれのスラット２８に部分絵柄９５ａ〜９５ｈが付されている。本構成におけるスラット２８では、図６（ａ）に示すように、隣接するスラット２８同士の重ね代が一のスラット２８の幅Ｗの約２／３となっている。この場合でも、スラット２８を反転させると隣接するスラット２８との重ね代により、反転前に現れていたスラット２８の部分絵柄を隠すことができる。
【００６４】
具体的には、図６（ｂ）に示すように、スラット２８を幅方向に３等分した領域をそれぞれ左スラット２８Ｌ，中スラット２８Ｍ，右スラット２８Ｒとすると、この場合、中スラット２８Ｍは常に隠される遮蔽領域となっている。そこで、本構成では、一のスラット２８の中スラット２８Ｍに、該スラット２８に被さるスラット２８の部分絵柄の一部が付されている。例えば、部分絵柄９５ｃの一部が部分絵柄９５ｄに続けて中スラット２８Ｍにも付されている。これにより、スラット２８を閉鎖状態とした場合にそのスラット２８が揺れ等により若干ずれてしまったとしても、完成絵柄９５が崩れることを防げる。
【００６５】
（９）本実施形態では、スラット２８に模様としての完成絵柄６０〜６３を付したが、それ以外に写真やメッセージ等を模様としてもよい。
【００６６】
（１０）本実施形態では、両端スラット２８ｃ，２８ｄの露出面６５ａ，６５ｂを無地としたが、反転前後で共通する共通絵柄等、反転した場合に形成される完成絵柄を崩さない絵柄を付してもよい。
【図面の簡単な説明】
【００６７】
【図１】本実施形態の縦型ブラインドを示す正面図である。
【図２】重なりを解消した状態の全スラットを示す正面図である。
【図３】縦型ブラインドの一部を概略的に示す正面図である。
【図４】（ａ）は固定体及びランナの連結構成を示す斜視図であり、（ｂ）はランナの動作を概略的に説明する説明図である。
【図５】スラットの製造方法を示す概略図である。
【図６】重ね代を変更した別例を示すスラットの斜視図及び正面図である。
【図７】従来の縦型ブラインドを示す正面図である。
【符号の説明】
【００６８】
１０…縦型ブラインド、１２…ヘッドレール、１５…ランナ、２０…固定部、２５…トップランナ、２８…スラット、２５…開閉用コード、３０…操作コード、３５…スペーサ、４８…リング、５０…フック、６５ａ，６５ｂ…露出面、７０…転写紙、７３…繊維素材、７５…加温機、７８…捨紙、８０…超音波発生装置、８５…超音波発生部、９０…押さえ部。
【図１】
2009167757.tif 000003
【図２】
2009167757.tif 000004
【図３】
2009167757.tif 000005
【図４】
2009167757.tif 000006
【図５】
2009167757.tif 000007
【図７】
2009167757.tif 000008
【図６】
2009167757.tif 000009